【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
前面が開口された凹室と、該凹室を上下に区画する区画壁と、前記凹室の開口部の左右両側の開口縁に配設された一対の可動部材と、該可動部材を回転させるための回動駆動源と、を備えた変動入賞装置を設け、
遊技領域を転動流下している遊技球が始動口へ入賞した場合に、前記一対の可動部材を動作させて大入賞口を開閉し、変動入賞装置内に入賞した遊技球が特定領域を通過することを条件に、遊技者に有利な特別遊技状態を発生する遊技機において、
前記区画壁は、後方へ下り傾斜する状態で配置され、当該区画壁の傾斜下端には、凹室の上部と下部とを連通する連通口を開設し、当該区画壁の前端には、櫛歯状の球導入片を遊技球が通過不能な間隔を空けて前方へ延設し、
前記可動部材は、回動軸を中心にして放射状に複数延設された球受部を備え、該球受部により前記大入賞口を開閉可能とし、球受部の後縁部には複数のスリットを形成し、該スリットを球導入片が通過可能であって遊技球が通過不能な幅に設定し、
常態では前記可動部材を縦向き状態にして大入賞口を閉塞して遊技球が変動入賞装置内へ流入することを阻止し、
前記始動口への入賞に基づいて、前記一対の可動部材を相反する方向へ回転することにより前記大入賞口へ入賞可能とし、可動部材が回転して横向き状態となった場合に、区画壁の球導入片と区画壁側に位置する球受部のスリットとが面一となる状態で噛み合うように遊嵌して転動面を形成し、該転動面上に変動入賞装置内へ流入した遊技球を転動可能としたことを特徴とする遊技機。
【手続補正２】
【補正対象書類名】明細書
【補正対象項目名】０００６
【補正方法】変更
【補正の内容】
【０００６】
本発明は、上記目的を達成するために提案されたものであり、前面が開口された凹室と、該凹室を上下に区画する区画壁と、前記凹室の開口部の左右両側の開口縁に配設された一対の可動部材と、該可動部材を回転させるための回動駆動源と、を備えた変動入賞装置を設け、
遊技領域を転動流下している遊技球が始動口へ入賞した場合に、前記一対の可動部材を動作させて大入賞口を開閉し、変動入賞装置内に入賞した遊技球が特定領域を通過することを条件に、遊技者に有利な特別遊技状態を発生する遊技機において、
前記区画壁は、後方へ下り傾斜する状態で配置され、当該区画壁の傾斜下端には、凹室の上部と下部とを連通する連通口を開設し、当該区画壁の前端には、櫛歯状の球導入片を遊技球が通過不能な間隔を空けて前方へ延設し、
前記可動部材は、回動軸を中心にして放射状に複数延設された球受部を備え、該球受部により前記大入賞口を開閉可能とし、球受部の後縁部には複数のスリットを形成し、該スリットを球導入片が通過可能であって遊技球が通過不能な幅に設定し、
常態では前記可動部材を縦向き状態にして大入賞口を閉塞して遊技球が変動入賞装置内へ流入することを阻止し、
前記始動口への入賞に基づいて、前記一対の可動部材を相反する方向へ回転することにより前記大入賞口へ入賞可能とし、可動部材が回転して横向き状態となった場合に、区画壁の球導入片と区画壁側に位置する球受部のスリットとが面一となる状態で噛み合うように遊嵌して転動面を形成し、該転動面上に変動入賞装置内へ流入した遊技球を転動可能としたことを特徴とする遊技機である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明によれば、以下のような優れた効果を奏する。
すなわち、区画壁は、後方へ下り傾斜する状態で配置され、当該区画壁の傾斜下端には、凹室の上部と下部とを連通する連通口を開設し、当該区画壁の前端には、櫛歯状の球導入片を遊技球が通過不能な間隔を空けて前方へ延設し、可動部材は、回動軸を中心にして放射状に複数延設された球受部を備え、該球受部により前記大入賞口を開閉可能とし、球受部の後縁部には複数のスリットを形成し、該スリットを球導入片が通過可能であって遊技球が通過不能な幅に設定し、常態では前記可動部材を縦向き状態にして大入賞口を閉塞して遊技球が変動入賞装置内へ流入することを阻止し、始動口への入賞に基づいて、前記一対の可動部材を相反する方向へ回転することにより前記大入賞口へ入賞可能としたので、大入賞口に対して今までにない斬新な開放形態を採ることができ、遊技の興趣を高めることができる。また、可動部材を回動して、球受部を変動入賞装置の左右両側方において下から上へ移動させた場合には、球受部により形成される下り傾斜面が次第に増加し、球受部は、遊技領域を流下する遊技球を拾い受け易くなる。このように、可動部材の回転方向によって大入賞口への入賞し易さを高めることができ、遊技価値の獲得の容易性についての興趣も高めることができる。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】変更
【補正の内容】
【００２２】
また、可動部材が回転して横向き状態となった場合に、区画壁の球導入片と区画壁側に位置する球受部のスリットとが面一となる状態で噛み合うように遊嵌して転動面を形成し、該転動面上に変動入賞装置内へ流入した遊技球を転動可能としたので、大入賞口から変動入賞装置内へ導入された遊技球を下方へ落下させることなく区画壁上に誘導することができる。さらに、可動部材が球導入片に干渉する不具合を防ぎ、可動部材を支障なく回動させることができる。
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２８
【補正方法】変更
【補正の内容】
【００２８】
変動入賞装置４は、図２に示すように、遊技盤１の表面に取り付けられる取付基板１３に正面から見て略矩形状の開口部１４を開設し、該開口部１４の上側開口縁には庇部１５を、下側開口縁には棚部１６をそれぞれ前方へ向けて突出している。また、開口部１４の左右両側の開口縁には、略プロペラ形状を呈する一対の可動部材１７を、正面から見て回動軸１８を中心に時計方向あるいは反時計方向へ回動可能な状態で支持している。
そして、常態の変動入賞装置４は、図１に示すように、可動部材１７を略垂直となる姿勢（言い換えると縦向き状態）に維持して庇部１５と棚部１６との間を閉塞し、遊技領域３を流下する遊技球が変動入賞装置４内に流入することを阻止している。また、可動部材１７を回転して傾斜させると、変動入賞装置４は、可動部材１７の先端を庇部１５の下端から離間させて可動部材１７と庇部１５との間に大入賞口２０を開口し、遊技領域３を流下中の遊技球を大入賞口２０から変動入賞装置４内に取り込み得る状態となる。
なお、可動部材１７の構造については、後で詳細に説明する。